(57)【要約】【課題】サイズ表示部材を簡易に取り付け・取り外し可能な保持形体を有する画像形成装置の給紙トレイを提供することにある。【解決手段】画像形成装置の給紙トレイ２ａ，２ｂにおいて、転写紙サイズが記されているサイズ表示部材３ｂがカード形体をなし、前記サイズ表示部材３ｂを簡易に取り付け・取り外し可能な保持形体を有する画像形成装置の給紙トレイ。【選択図】        図２
2004331266.tif 000002
【特許請求の範囲】
【請求項１】
画像形成装置の給紙トレイにおいて、転写紙サイズが記されているサイズ表示部材がカード形体をなし、前記サイズ表示部材を簡易に取り付け・取り外し可能な保持形体を有することを特徴とする画像形成装置の給紙トレイ。
【請求項２】
前記サイズ表示部材を収納する前記給紙トレイの部分は、前記サイズ表示部材が挿入される挿入部と、前記サイズ表示部材の表示部分が表示できるような開口部とを有し、そして、各々の幅がサイズ表示部材≧挿入部＞開口部となることを特徴とする請求項１記載の画像形成装置の給紙トレイ。
【請求項３】
前記サイズ表示部材の余白部を除いた幅は、前記開口部の幅よりも小さいことを特徴とする請求項２記載の画像形成装置の給紙トレイ。
【発明の詳細な説明】
【０００１】
【発明の属する技術分野】
本発明は、プリンタ、複写機等のごとき画像形成装置の給紙トレイに関するものである。
【０００２】
【従来の技術】
画像形成装置において、給紙トレイは、紙サイズを指定することができるが、その指定した紙サイズをユーザーが認識する方法として、給紙トレイ前面に、サイズが印刷されたデカル一式より、各給紙トレイの段数を表示するデカルを貼り付け、その上から指定するサイズのデカル３ｂを貼り付けている。
【０００３】
また、類似の技術として、給紙カセット内のシートのサイズを変更しても給紙カセットの表示を取り替えたりする手間を不要とする特許文献１の「シート記録装置」が知られている。
【０００４】
【特許文献１】
特開平５−６９９４９号公報
【０００５】
【発明が解決しようとする課題】
図４は画像形成装置の給紙トレイにおける従来の表示部材を示す概略図である。画像形成装置の給紙トレイは、紙サイズを指定することができるが、その指定した紙サイズをユーザーが認識する方法として、給紙トレイ前面に、サイズが印刷されたデカル一式３より、各給紙トレイの段数を表示するデカル３ａを貼り付け、その上から指定するサイズのデカル３ｂを貼り付けていた。
【０００６】
この方法によって、「１段目の給紙トレイにはＡ４縦、２段目はＡ３」等と、ユーザーが給紙トレイの指定された紙サイズを表示させていた。しかし、この方法では、ユーザーの都合により紙サイズを変更した場合、一度使用したデカルを剥さなければならず、剥した場合には再度使用することができなくなり、給紙トレイの紙サイズ変更の回数に限りがあった。
【０００７】
そこで本発明の目的は、上記の問題点を解決するために、本考案は、以上の不具合を解決する画像形成装置の給紙トレイを提供することにある。
【０００８】
【課題を解決するための手段】
前記の課題を解決するために、請求項１記載の発明では、画像形成装置の給紙トレイにおいて、転写紙サイズが記されているサイズ表示部材がカード形体をなし、前記サイズ表示部材を簡易に取り付け・取り外し可能な保持形体を有する画像形成装置の給紙トレイを最も主要な特徴とする。
【０００９】
請求項２記載の発明では、前記サイズ表示部材を収納する前記給紙トレイの部分は、前記サイズ表示部材が挿入される挿入部と、前記サイズ表示部材の表示部分が表示できるような開口部とを有し、そして、各々の幅がサイズ表示部材≧挿入部＞開口部となる請求項１記載の画像形成装置の給紙トレイを主要な特徴とする。
【００１０】
請求項３記載の発明では、前記サイズ表示部材の余白部を除いた幅は、前記開口部の幅よりも小さい請求項２記載の画像形成装置の給紙トレイを主要な特徴とする。
【００１１】
【発明の実施の形態】
以下、図面により本発明の実施の形態を詳細に説明する。図１は本発明に使用する画像形成装置を複写機として一般的に示す概略斜視図である。図１には各給紙トレイの段数を表示する従来のデカル３ａを貼り付け、その上から指定するサイズのデカル３ｂを貼り付ける形で示している。
【００１２】
図１の複写機１において、給紙トレイ２ａ，２ｂは、紙サイズを指定することができる。その指定した紙サイズをユーザーが認識する方法として、給紙トレイ２ａ，２ｂの前面に、各給紙トレイの段数を表示するデカル３ａを貼り付け、その上から指定するサイズのデカル３ｂを貼り付けている。ここでは複写機１の説明を重複させないために一般的な表示部材を付している。
【００１３】
図２は、本発明による複写機の給紙トレイの実施の形態を示す概略斜視図である。図２において図１の給紙トレイ２ａまたは２ｂのサイズ表示部４を示し、なおかつ、給紙トレイの段数の表示デカル３ａと紙サイズが印刷等で表示されたカード形体の表示部材３ｂを示している。
【００１４】
図３は図２のサイズ表示部の線Ａ−Ａに沿う断面図である。サイズ表示部４は、挿入部４ａと開口された表示部４ｂが設けられ、断面Ａ−Ａにおいて、スリット形状となっている。
【００１５】
ユーザーは、給紙ユニットに段数表示デカル３ａを貼り付ける。そして、挿入部４ａより表示部材３ｂを落とし込むようにセットし、紙サイズを表示する。
【００１６】
また、この挿入部４ａの幅は、表示部材３ｂの幅と同等かそれ以下の幅を持ち、開口表示部４ｂは、挿入部４ａの幅よりも小さく設定されている（サイズ表示部材３ｂ≧挿入部４ａ＞開口部４ｂ）。
【００１７】
さらに、サイズ表示部材の余白部を除いた幅６ｂは開口部の幅４ｂよりも小さく設定されている。よって、サイズ表示部材３ｂ≧挿入部４ａ＞開口部４ｂ＞サイズ表示部４の余白を除いた部分の幅６ｂとなっている。
【００１８】
サイズ表示部材３ｂの幅６ａと、給紙トレイ２ａ，２ｂの挿入部４ａの幅Ｘと、開口表示部の幅Ｙとの関係が、サイズ表示部材≧挿入部＞開口部とすることで、サイズ表示部材が給紙トレイより外れることを防ぐことができる。
【００１９】
【発明の効果】
以上説明したように、請求項１によれば、紙サイズが印刷等で表示された表示部材を、給紙トレイの挿入部より落とし込むようにセットし、紙サイズを表示することで、ユーザーの都合等で紙サイズを自由に何度でも変更することができる。
【００２０】
請求項２によれば、表示部材の幅と、給紙トレイの挿入部の幅と、開口表示部の幅との関係が、サイズ表示部材≧挿入部＞開口部とすることで、サイズ表示部材が給紙トレイより外れることを防ぐことができる。
【００２１】
請求項３によれば、表示部材の両端の余白部分を除いた幅＜開口部となることで、開口表示部より確実にサイズが表示することができる。
【図面の簡単な説明】
【図１】本発明に使用する画像形成装置を複写機として一般的に示す概略斜視図である。
【図２】本発明による複写機の給紙トレイの実施の形態を示す概略斜視図である。
【図３】図２のサイズ表示部の線Ａ−Ａに沿う断面図である。
【図４】画像形成装置の給紙トレイにおける従来の表示部材を示す概略図である。
【符号の説明】
１  画像形成装置（複写機）
２ａ  給紙トレイ
２ｂ  給紙トレイ
３ａ  表示デカル
３ｂ  サイズ表示部材
４  サイズ表示部
４ａ  挿入部
４ｂ  開口部
【図１】
2004331266.tif 000003
【図２】
2004331266.tif 000004
【図３】
2004331266.tif 000005
【図４】
2004331266.tif 000006